(57)【要約】【課題】  本発明の課題は、障子を閉じた際に、室外側又は室内側からの圧を受けた場合にも、上枠と障子上部との間および竪骨と障子の召し合わせ部との間の気密性の向上を図ることである。【解決手段】  本発明の上吊引戸１は、上枠３と、左右竪枠１２、１４間の開口部に備えた竪骨１６と、障子７とを備え、上枠３と障子上部１７との間と、竪骨１６と障子７の召し合わせ部４９との間とにはそれぞれ複数の気密材１０、２６、４３、４７を備え、障子７を閉じた際に、各気密材は障子７と上枠３及び障子７と竪骨１６との間を塞いでおり、一方の気密材１０、４７は室内側から室外側に向けて突設して設けており、他方の気密材２６、４３は室外側から室内側に向けて突設して設けるようにしている。【選択図】      図１
2005105659.tif 000002
【特許請求の範囲】
【請求項１】
上枠と、左右竪枠間の開口部に備えた竪骨と、障子とを備え、上枠と障子上部との間と、竪骨と障子の召し合わせ部との間とにはそれぞれ複数の気密材を備え、障子を閉じた際に、各気密材は障子と上枠及び障子と竪骨との間を塞いでおり、一方の気密材は室内側から室外側に向けて突設して設けており、他方の気密材は室外側から室内側に向けて突設して設けていることを特徴とする上吊引戸。
【請求項２】
上枠と、左右竪枠間の開口部に備えた竪骨と、障子とを備え、上枠及び障子上部は左右方向に煙返しを夫々備えると共に竪骨及び障子の召し合わせ部は上下方向に煙返しを夫々備え、上枠と障子上部との間には上部気密材を設け、竪骨と障子の召し合わせ部との間には側部気密材を設け、上部気密材及び側部気密材はそれぞれ複数の気密材を備え、
一方の上部気密材は上枠の煙返しと障子上部の煙返しとの間、他方の上部気密材は上枠の煙返しと障子上部との間にそれぞれ設けており、
一方の側部気密材は竪骨の煙返しと障子召し合わせ部の煙返しとの間、他方の側部気密材は竪骨の煙返しと障子召し合わせ部との間にそれぞれ設けていることを特徴とする上吊引戸。
【請求項３】
上枠の煙返しと竪骨の煙返し及び障子上部の煙返しと障子召し合わせ部の煙返しとはそれぞれ連続して設けており、上部気密材と側部気密材とは上枠と障子上部との隙間及び竪骨と障子の召し合わせ部との隙間を連続して塞いでいることを特徴とする請求項２に記載の上吊引戸。
【請求項４】
一方の側部気密材は、障子を閉じた際に、障子召し合わせ部の煙返しの先端に当接する先端当接部と、障子召し合わせ部の煙返しの室内側見付け面に当接する見付け面当接部とを備えることを特徴とする請求項２又は３に記載の上吊引戸。
【発明の詳細な説明】
【技術分野】
【０００１】
本発明は、玄関等に設置される上吊引戸に関するものである。
【背景技術】
【０００２】
特許文献１には、上吊引戸において、竪骨と障子の召し合わせ部との間に複数の気密材を設けた技術が開示されている。
【０００３】
【特許文献１】特開２０００−２４０３６８号公報
【発明の開示】
【発明が解決しようとする課題】
【０００４】
しかし、上述の特許文献１に開示の技術では、竪骨の煙返しと召し合わせ部の煙返しとの間のそれぞれの気密材は見付け方向に設けているため、障子を閉じた際に、室内側あるいは室外側から圧を受けた場合には、障子の横振れにより、枠と障子との間の気密を図ることが難しいという問題があった。
【０００５】
そこで、本発明は、障子を閉じた際に、室外側又は室内側からの圧を受けた場合にも、上枠と障子上部との間および竪骨と障子の召し合わせ部との間の気密性の向上を図ることができる上吊引戸の提供を目的とする。
【課題を解決するための手段】
【０００６】
請求項１に記載の発明は、上枠と、左右竪枠間の開口部に備えた竪骨と、障子とを備え、上枠と障子上部との間と、竪骨と障子の召し合わせ部との間とにはそれぞれ複数の気密材を備え、障子を閉じた際に、各気密材は障子と上枠及び障子と竪骨との間を塞いでおり、一方の気密材は室内側から室外側に向けて突設して設けており、他方の気密材は室外側から室内側に向けて突設して設けていることを特徴とする。
【０００７】
請求項２に記載の発明は、上枠と、左右竪枠間の開口部に備えた竪骨と、障子とを備え、上枠及び障子上部は左右方向に煙返しを夫々備えると共に竪骨及び障子の召し合わせ部は上下方向に煙返しを夫々備え、上枠と障子上部との間には上部気密材を設け、竪骨と障子の召し合わせ部との間には側部気密材を設け、上部気密材及び側部気密材はそれぞれ複数の気密材を備え、一方の上部気密材は上枠の煙返しと障子上部の煙返しとの間、他方の上部気密材は上枠の煙返しと障子上部との間にそれぞれ設けており、一方の側部気密材は竪骨の煙返しと障子召し合わせ部の煙返しとの間、他方の側部気密材は竪骨の煙返しと障子召し合わせ部との間にそれぞれ設けていることを特徴とする。
【０００８】
請求項３に記載の発明は、請求項２に記載の発明において、上枠の煙返しと竪骨の煙返し及び障子上部の煙返しと障子召し合わせ部の煙返しとはそれぞれ連続して設けており、上部気密材と側部気密材とは上枠と障子上部との隙間及び竪骨と障子の召し合わせ部との隙間を連続して塞いでいることを特徴とする。
【０００９】
請求項４に記載の発明は、請求項２又は３の何れかに記載の発明において、一方の側部気密材は、障子を閉じた際に、障子召し合わせ部の煙返しの先端に当接する先端当接部と、障子召し合わせ部の煙返しの室内側見付け面に当接する見付け面当接部とを備えることを特徴とする。
【発明の効果】
【００１０】
請求項１に記載の発明によれば、上枠と障子上部との間と、竪骨と障子の召し合わせ部との間に設けた複数の気密材のうち、一方の気密材は室内側から室外側に向けて突設して設けているので、障子を閉じた際に、一方の気密材が室外側からの圧を受けると、一方の気密材は弾性変形して上枠（竪骨）又は障子に密着する。
【００１１】
また、他方の気密材は室外側から室内側に向けて突設して設けているので、障子を閉じた際に、他方の気密材が室内側からの圧を受けると、他方の気密材は弾性変形して上枠（竪骨）又は障子に密着する。従って、障子の室内側あるいは室外側の何れの圧に対しても上枠と障子上部との間及び竪骨と障子の召し合わせ部との間の気密性（水密性を含む）の向上を図ることができる。
【００１２】
また、上枠と障子上部との間と、竪骨と障子の召し合わせ部との間にそれぞれ複数の気密材を設けているので、上枠と障子上部との間および竪骨と障子の召し合わせ部との間の気密性の向上をさらに図ることができる。
【００１３】
請求項２に記載の発明によれば、請求項１に記載の発明と同様の効果を奏するとともに
上枠の煙返しと障子上部の煙返しとの間及び上枠の煙返しと障子上部との間にそれぞれ気密材（上部気密材）を設けたので、上枠と障子上部との間を二重に塞ぐことができ、気密性をさらに高めることができる。
【００１４】
同様に、竪骨の煙返しと召し合わせ部の煙返しとの間及び竪骨の煙返しと召し合わせ部との間にそれぞれ気密材（側部気密材）を設けたので、竪骨と召し合わせ部との間を二重に塞ぐことができ、気密性をさらに高めることができる。
【００１５】
請求項３に記載の発明によれば、請求項２に記載の発明と同様の効果を奏するとともに、上部気密材と側部気密材とはそれぞれ連続して設けられているので、枠のコーナ部における気密性を高めることができる。
【００１６】
請求項４に記載の発明によれば、請求項２又は３に記載の発明と同様の効果を奏するとともに、障子召し合わせ部の煙返しに２方向から竪骨の気密材が当接しているので、竪骨と障子の召し合わせ部との間の気密性の向上を図ることができる。
【発明を実施するための最良の形態】
【００１７】
以下に、添付図面を参照して本発明の実施の形態を説明する。まず、図１乃至図４を参照して本発明の実施の形態について説明する。図１は図３のＡ―Ａ断面図であり、図１中一点鎖線で抜き出して示す図は、上枠と障子上部との気密構造を示す拡大図であり、図２は図３のＢ―Ｂ断面図であり、図３は本発明の実施の形態にかかる上吊引戸の横断面図であり、図３中一点鎖線で抜き出して示す図中、（ａ）は左竪枠と障子の戸先側との気密構造を示す拡大図、（ｂ）は竪骨と障子の召し合わせ部との気密構造を示す拡大図であり、図４は本発明の実施の形態にかかる上吊引戸の斜視図であり、図４中一点鎖線で抜き出して示す図は、コーナ部に取り付けるキャップの正面図である。
【００１８】
本実施の形態にかかる上吊引戸１は、主に玄関等に設置されるものであり、天井に設けられる上枠３と、左右竪枠（左竪枠１２、右竪枠１４）と、左右竪枠１２、１４間の開口部に備えた竪骨１６と、上レール５に吊り下げられた障子７とからなり、障子７の上部１７に取り付けられた上戸車９が上レール５に沿って走行することで、障子７の開閉を行っている。
【００１９】
上枠３は、開口部の室内側における障子７の左右方向に渡って上枠側煙返し（上枠の煙返し）１９を備えている。上枠側煙返し１９は、その長手方向の端部が竪骨１６の開口部側側面まで位置して、竪骨１６の竪骨側煙返し３９に突き当たり、上枠側煙返し１９と竪骨側煙返し３９とが連続するようになっている。
【００２０】
上枠側煙返し１９は、室外側から室内側に向けて突設した水平部２１と、水平部２１から上方に向けて略直角に屈曲した垂直部２３とを備えている。そして、上枠側煙返し１９と、障子上部１７の室外側に設けた後述する上部側煙返し２７とが互いに対峙するようになっている。
【００２１】
また、上枠側煙返し１９の垂直部２３の室外側面には取付溝２５が形成されており、取付溝２５には上枠３と障子上部１７との隙間を塞ぐ上部気密材（一方の上部気密材）１０が取り付けられている。一方の上部気密材１０は３本の片を有しており、各片は取付溝２５から室外側に向けて突設している。各片の先端は、障子７の上部側煙返し２７における垂直部３１の室内側見付け面３３に当接している。
【００２２】
さらに、上枠側煙返し１９の水平部２１にも、室外側から室内側に向けて障子７の室外側面に当接する上部気密材（他方の上部気密材）２６が設けられており、上枠３と障子上部１７との間の気密性をさらに高めている。
【００２３】
竪骨１６は、上下方向に全体に渡って竪骨側煙返し３９を備え、竪骨側煙返し３９は室外側から室内側に向けて突設した突設部４１と、突設部４１の先端から略直角に屈曲した屈曲部４３とを備えている。また、竪骨１６の屈曲部４３の室外側見付面に取付溝４５が形成されており、取付溝４５には竪骨１６と障子７の召し合わせ部４９との隙間を塞ぐ側部気密材（一方の側部気密材）４７が取り付けられている。
【００２４】
一方の側部気密材４７は、室内側から室外側に向けて突設しており、障子７を閉じた際に、召し合わせ部４９の煙返し（召し合わせ側煙返し）５１の先端５２に当接する先端当接部５３と、召し合わせ側煙返し５１の室内側見付け面５４に当接する見付け面当接部５５とを備えている。尚、先端当接部５３は、その先端部分が逆Ｖ字状に折り曲がっており、召し合わせ側煙返し５１の先端５２が見付方向に多少ずれても、気密性を維持できるようになっている。
【００２５】
竪骨側煙返し３９の突設部４１には、障子７の室外側面に当接する他方の側部気密材５７が設けられており、竪骨１６と障子７の召し合わせ部４９との間の気密性をさらに高めている。
【００２６】
障子７は、枠組みした芯材にパネル１１を貼り付けた構成であり、障子７の下部１８には下戸車１５が設けられており、障子７の室内側及び室外側には、障子７の下部１８と下枠１３との気密を図る下端気密材３５が取り付けられており、障子７の下部１８と下枠１３との間を二重に塞いでいる。
【００２７】
障子７の上部１７の室外側には煙返し（上部側煙返し）２７が設けられており、上部側煙返し２７は室外側に向けて突設した水平片２９と、水平片２９から下方に向けて略垂直に屈曲した垂直片３１とを備えている。また、障子７の召し合わせ部４９の室外側には召し合わせ側煙返し５１が設けられている。
【００２８】
上枠３と竪骨１６とのコーナ部には、樹脂製のキャップ６１が取り付けられており、一方の上部気密材１０と一方の側部気密材４７とが互いにキャップ６１を介して連続するようになっている。
【００２９】
キャップ６１の内部には、一方の上部気密材１０が取り付けられる一方の溝６３と、一方の側部気密材４７が取り付けられる他方の溝６５とが形成されており、一方の溝６３と他方の溝６５とが交わる位置において、一方の溝６３の右側端部が他方の溝６５の端部よりも外側に突出するようになっている（図４中符合６４で示す部分）。
【００３０】
一方の溝６３と他方の溝６５とに、それぞれ気密材（一方の上部気密材１０、一方の側部気密材４７）を取り付けた場合、一方の上部気密材１０と一方の側部気密材４７とが連続するようになっている。
【００３１】
左竪枠１２には、障子７を閉めた際に、障子７の室内側面と左竪枠１２との隙間を塞ぐ室内側気密材６７と、障子７の室外側面と左竪枠１２との隙間を塞ぐ室外側気密材６９とが設けられている。また、左竪枠１２の戸当たり面７１には緩衝材７３が設けられており、障子７の戸先部分を保護すると共に、障子７の戸先側と左竪枠１２との間で気密を図っている。
【００３２】
下枠１３は、略フラット面であり、障子７の走行軌跡全体に渡って条状の下レール６が設けられている。そして、障子７の下部１８に設けた下戸車１５が下レール６に嵌合して障子７が案内されるようになっている。
【００３３】
次に、本実施の形態にかかる上吊引戸１の作用について説明する。障子７の開閉時には、上戸車９が上レール５に沿って走行するとともに、障子７の下部１８に設けた下戸車１５が下レール６に嵌合した状態で移動する。
【００３４】
障子７を閉じたときには、上枠３と障子上部１７との間と、竪骨１６と障子７の召し合わせ部４９との間に設けた複数の気密材のうち、一方の上部気密材１０及び一方の側部気密材４７は、室内側から室外側に向けて突設して設けているので、室外側からの圧を各気密材１０、４７で受けることができる。よって、障子７を閉じた際に、室外側からの風圧を障子７が受けると、障子７の上部側煙返し２７における垂直部３１が室内側に傾き、一方の上部気密材１０と垂直部３１の室内側見付け面３３との間の密着性がより高まる。同様に、室外側からの風圧を障子７が受けると、障子７の召し合わせ側煙返し５１が室内側に傾き、一方の側部気密材４７と召し合わせ側煙返し５１の室内側見付け面５４との間の密着性がより高まる。
【００３５】
また、上枠３と障子上部１７との間と、竪骨１６と障子７の召し合わせ部４９との間に設けた他方の上部気密材２６及び他方の側部気密材５７は、室外側から室内側に向けて突設して設けているので、室内側からの圧を各気密材２６、５７で受けることができる。障子７を閉じた際に、室内側からの風圧を障子７が受けると、障子７上部が室外側に傾き、他方の上部気密材２６と障子７上部との間の密着性が高まる。また、室内側からの風圧を障子７が受けると、他方の側部気密材５７と障子７の召し合わせ部４９との間の密着性が高まる。よって、上枠３と障子上部１７との間および竪骨１６と障子７の召し合わせ部４９との間の気密性の向上を図ることができる。
【００３６】
さらに、左竪枠１２には、室内側気密材６７及び室外側気密材６９が設けられており、障子７を閉めた際に、室外側からの風圧を障子７が受けると、室内側気密材６７と障子７の室内側面との間の密着性が高まり、室内側からの風圧を障子７が受けた場合には、室外側気密材６９と障子７の室外側面との間の密着性が高まる。このように、左竪枠１２と障子７の戸先側との間の気密性の向上も図ることができる。
【００３７】
上枠側気密材１０と竪骨側気密材４７とは、上枠３と障子上部１７との隙間及び竪骨１６と障子７の召し合わせ部４９との隙間を連続して塞いでいるので、枠のコーナ部（上枠３と竪骨１６とが当接する位置）における気密性をさらに高めることができる。
【００３８】
竪骨側気密材４７が召し合わせ部側煙返し５１の先端５２及び室内側見付け面５４にそれぞれ当接しているので、障子７が室外側からの風圧を受けた場合においても、先端当接部５３は召し合わせ部側煙返し５１の先端５２に当接した状態を維持でき、竪骨１６と障子７の召し合わせ部４９との間の気密性をさらに高めることができる。
【００３９】
本発明は、上述した実施の形態に限らず、本発明の要旨を逸脱しない範囲で種々変形可能である。
【００４０】
障子７は、芯材にパネル１１を貼り付けた構成に限らず、パネル１１とパネル１１の周囲に組付けた框とから成る構成であってもよい。
【００４１】
上吊引戸１は、玄関に設置されるものに限らず、間仕切りに用いられるものであっても良い。
【図面の簡単な説明】
【００４２】
【図１】図３のＡ―Ａ断面図であり、図１中一点鎖線で抜き出して示す図は、上枠と障子の上部との気密構造を示す拡大図である。
【図２】図３のＢ―Ｂ断面図である。
【図３】本発明の実施の形態にかかる上吊引戸の横断面図であり、図３中一点鎖線で抜き出して示す図は、（ａ）は左竪枠と障子の戸先側との気密構造を示す拡大図、（ｂ）は竪骨と障子の召し合わせ部との気密構造を示す拡大図である。
【図４】本発明の実施の形態にかかる上吊引戸の斜視図であり、図４中一点鎖線で抜き出して示す図は、コーナ部に取り付けるキャップの正面図である。
【符号の説明】
【００４３】
１          上吊引戸
３          上枠
７          障子
１０        一方の上部気密材
１６        竪骨
１７        障子上部
１９        上枠側煙返し
２６        他方の上部気密材
２７        上部側の煙返し
３９        竪骨側の煙返し
４７        一方の側部気密材
４９        召し合わせ部
５１        召し合わせ部側の煙返し
５３        先端当接部
５４        室内側見付け面
５５        見付け面当接部
５７        他方の側部気密材
【図１】
2005105659.tif 000003
【図２】
2005105659.tif 000004
【図３】
2005105659.tif 000005
【図４】
2005105659.tif 000006